(57)【要約】【課題】制御出力可否を判断するに必要な情報を従来方式に比べて最新の情報に近い情報あるいは最新の情報とし、しかも制御開始から制御が実行されるまでの時間を短くする。【解決手段】電力系統における複数の監視制御対象毎に設けられた複数の入出力端末装置BCU1，BCU2，・・にマスター装置６から制御指令を与えて監視制御対象を制御する電力系統の監視制御システムにおいて、前記マスター装置６が、入出力端末装置BCU1，BCU2，・・への制御出力可否を判断するに必要な情報の取得動作を、当該マスター装置６から前記入出力端末装置BCU1，BCU2，・・への制御対象選定通知の時点で開始することを特徴とする電力系統の監視制御システム。【選択図】図１
2006320102.tif 000002
【特許請求の範囲】
【請求項１】
電力系統における複数の監視制御対象毎に設けられた複数の入出力端末装置にマスター装置から制御指令を与えて監視制御対象を制御する電力系統の監視制御システムにおいて、前記マスター装置が、入出力端末装置への制御出力可否を判断するに必要な情報の取得動作を、当該マスター装置から前記入出力端末装置への制御対象選定通知の時点で開始することを特徴とする電力系統の監視制御システム。
【請求項２】
請求項１に記載の電力系統の監視制御システムにおいて、制御対象に選定された制御対象入出力端末装置を特定する情報を含む前記制御対象選定通知が、制御対象に選定されなかった入出力端末装置にも行われることを特徴とする電力系統の監視制御システム。
【請求項３】
請求項２に記載の電力系統の監視制御システムにおいて、制御対象に選定されなかった入出力端末装置は前記制御対象選定通知により対応監視制御対象に対する制御をブロックすることを特徴とする電力系統の監視制御システム。
【請求項４】
請求項２〜請求項３の何れか一に記載の電力系統の監視制御システムにおいて、前記制御対象選定通知を受けた各入出力端末装置が、制御状態であることを知らせる機能を有していることを特徴とする電力系統の監視制御システム。
【請求項５】
請求項１〜請求項４の何れか一に記載の電力系統の監視制御システムにおいて、入出力端末装置への制御出力可否を判断するに必要な情報の取得動作の前記開始が前記マスター装置から前記各入出力端末装置に対して出される情報送信依頼により行われ、当該情報送信依頼と前記制御対象選定通知とが一の信号に含まれていることを特徴とする電力系統の監視制御システム。
【請求項６】
請求項１〜請求項６の何れか一に記載の電力系統の監視制御システムが、他の監視制御システムにネットワークを介して接続され、他の監視制御システムにネットワークにおける前記情報を当該他の監視制御システムから前記ネットワークを介して収集し、当該情報をすることを前記入出力端末装置への制御出力可否判断の判断材料に使用することを特徴とする電力系統の監視制御システム。
【発明の詳細な説明】
【技術分野】
【０００１】
この発明は、変電所等の電力系統における複数の監視制御対象毎に設けられた複数の入出力端末装置にマスター装置から制御指令を与えて監視制御対象を制御する電力系統の監視制御システムに関するものである。
【背景技術】
【０００２】
変電所などの電力系統の監視制御システムでは、例えば、電圧変動や電流変化、潮流変化、回線異常等を監視し、それらの状況に応じて、変電所内等の電力系統の、例えば監視制御対象である変圧器タップの切替制御、監視制御対象である遮断器や断路器等のＯＮ／ＯＦＦ制御などを、複数の監視制御対象毎に設けられた複数の入出力端末装置にマスター装置から制御指令を与えて監視制御対象を制御する。
【０００３】
前記複数の入出力端末装置にマスター装置から制御指令を与える場合、例えば監視制御対象である変圧器タップの現在の状態（位置）、監視制御対象である遮断器や断路器等のＯＮ／ＯＦＦ状態、等の情報をマスター装置で把握し、当該情報に応じて、制御に適した入出力端末装置を選定し当該選定した入出力端末装置に相応の制御指令を与える。
【０００４】
従来では、その一制御方式として、制御開始時には、複数の入出力端末装置の中から制御対象として選択する前に、マスター装置では、インターロックチェック等の制御可否の判断に使用する前記情報を収集し、当該情報によって、制御可否判断をし、前記制御対象の入出力端末装置を選定し、制御指令を出していた（以下、「従来方式１」と言う）。
【０００５】
この従来方式１は、具体的には、図４（ａ）に示すようような手順で行われる。即ち、先ず最初に、マスター装置側で、制御可否判断に使用する前記情報CI（前述のような変圧器タップ状態（位置）や遮断器や断路器等のＯＮ／ＯＦＦ状態、等のいわゆる監視制御対象の状態の情報）を、各入出力端末装置BCU1〜nに、送信依頼する（ステップＡ）。次いで、入出力端末装置BCU側では、各入出力端末装置BCU1〜nが、送信依頼（ステップＡ）を、受信する（ステップＢ）。次いで、入出力端末装置BCU側では、制御可否判断に使用する情報CIを、各入出力端末装置BCU1〜nから、送付する（ステップＣ）。次いで、マスター装置側で、制御可否判断に使用する前記情報CIを、各入出力端末装置BCU1〜nから、受信する（ステップＤ）。次いで、マスター装置側で、受信した前記情報CIにより制御可否判断を行い、制御可であれば、(1)制御対象として例えば入出力端末装置BCU1を選定し（ステップＥ）、(2)制御対象に選定した入出力端末装置BCU1へ、制御対象に選定した旨を通知する（ステップＦ）。次いで、制御対象に選定された入出力端末装置BCU1が、制御対象選定通知（ステップＦ）を、受信する（ステップＧ）。入出力端末装置BCU1が制御対象選定通知（ステップＦ）を受信した（ステップＧ）後、マスター装置側は、制御対象入出力端末装置BCU1へ、制御実行を指令する（ステップＨ）。次いで、制御対象に選定された入出力端末装置BCU1が、制御実行指令（ステップＨ）を受信し（ステップＩ）、制御を実行する（ステップＪ）。
【０００６】
この従来方式１では、前述のように、最初に、前記情報CI（前述のような変圧器タップ状態（位置）や遮断器や断路器等のＯＮ／ＯＦＦ状態、等のいわゆる監視制御対象の状態の情報）を収集するので、制御対象に選定された入出力端末装置BCU1が制御を実行する（ステップＪ）時点では、当該情報CIは古い情報となっている（現在の情報と異なっている）可能性があり、適正な制御が行われない可能性がある。
【０００７】
従って、これを改善するために、前記入出力端末装置の選定および選定した旨の通知後に、制御可否判断に使用する前記情報CIの収集を行う方式もある（以下、「従来方式２」と言う）。
【０００８】
この従来方式２は、具体的には、図４（ｂ）に示すようような手順で行われる。即ち、
先ず最初に、マスター装置側で、(1)制御対象として例えば入出力端末装置BCU1を選定し（ステップＥ）、(2)制御対象に選定した入出力端末装置BCU1へ、制御対象に選定した旨を通知する（ステップＦ）。次いで、制御対象に選定された入出力端末装置BCU1が、制御対象選定通知（ステップＦ）を、受信する（ステップＧ）。次いで、マスター装置側で、制御可否判断に使用する前記情報CI（前述のような変圧器タップ状態（位置）や遮断器や断路器等のＯＮ／ＯＦＦ状態、等のいわゆる監視制御対象の状態の情報）を、各入出力端末装置BCU1〜nに、送信依頼する（ステップＡ）。次いで、入出力端末装置BCU側では、各入出力端末装置BCU1〜nが、送信依頼（ステップＡ）を、受信する（ステップＢ）。次いで、入出力端末装置BCU側では、制御可否判断に使用する情報CIを、各入出力端末装置BCU1〜nから、送付する（ステップＣ）。次いで、マスター装置側で、制御可否判断に使用する前記情報CIを、各入出力端末装置BCU1〜nから、受信する（ステップＤ）。次いで、マスター装置側は、受信した前記情報CIにより制御可否判断を行い、制御可であれば制御対象入出力端末装置BCU1へ、制御実行を指令する（ステップＨ）。次いで、制御対象に選定された入出力端末装置BCU1が、制御実行指令（ステップＨ）を受信し（ステップＩ）、制御を実行する（ステップＪ）。
【０００９】
なお、前述のような従来方式１や従来方式２は具体的に記載されていないが、例えば、特開平１１−１３４００１号公報（特許文献１）がある。
【００１０】
【特許文献１】特開平１１−１３４００１号公報（図１及びその説明）
【発明の開示】
【発明が解決しようとする課題】
【００１１】
前述の従来方式１および従来方式２は、前述のような手順で制御が行われるので、何れも、制御開始のステップＡから制御実行のステップＪまでに、時間Ｔ１を要する。この制御開始のステップＡから制御実行のステップＪまでの時間は短いほど、制御が早く実行されるので好ましい。また、前述の従来方式１および従来方式２では、制御のために選定された旨の通知である制御対象選定通知（ステップＦ）および制御実行指令（ステップＨ）の何れも、選定された入出力端末装置BCU1に対してのみ行われるので、選定されていない入出力端末装置BCU2〜nでは、選定された入出力端末装置BCU1で制御が実行されているにも拘わらず二重に制御される可能性があり、二重に制御されないようにすることが好ましい。
【００１２】
この発明は前述のような従来の実情に鑑みてなされたものであり、制御出力可否を判断するに必要な情報を従来方式１に比べて最新の情報に近い情報あるいは最新の情報とし、しかも制御開始から制御が実行されるまでの時間を短くすることを第１の目的とするものである。
【００１３】
また、この発明は前述のような従来の実情に鑑みてなされたものであり、選定された入出力端末装置の制御中に、選定されていない入出力端末装置の制御が二重に行われないようにすることを第２の目的とするものである。
【課題を解決するための手段】
【００１４】
この発明に係る電力系統の監視制御システムは、電力系統における複数の監視制御対象毎に設けられた複数の入出力端末装置にマスター装置から制御指令を与えて監視制御対象を制御する電力系統の監視制御システムにおいて、前記マスター装置が、入出力端末装置への制御出力可否を判断するに必要な情報の取得動作を、当該マスター装置から前記入出力端末装置への制御対象選定通知の時点で開始することを特徴とする電力系統の監視制御システムである。
【００１５】
また、この発明に係る電力系統の監視制御システムは、電力系統における複数の監視制御対象毎に設けられた複数の入出力端末装置にマスター装置から制御指令を与えて監視制御対象を制御する電力系統の監視制御システムにおいて、前記マスター装置が、入出力端末装置への制御出力可否を判断するに必要な情報の取得動作を、当該マスター装置から前記入出力端末装置への制御対象選定通知の時点で開始するものであり、しかも、制御対象に選定された制御対象入出力端末装置を特定する情報を含む前記制御対象選定通知が、制御対象に選定されなかった入出力端末装置にも行われることを特徴とする電力系統の監視制御システムである。
【発明の効果】
【００１６】
この発明は、前述のように、電力系統における複数の監視制御対象毎に設けられた複数の入出力端末装置にマスター装置から制御指令を与えて監視制御対象を制御する電力系統の監視制御システムにおいて、前記マスター装置が、入出力端末装置への制御出力可否を判断するに必要な情報の取得動作を、当該マスター装置から前記入出力端末装置への制御対象選定通知の時点で開始するので、制御出力可否を判断するに必要な情報を従来方式１に比べて最新の情報に近い情報あるいは最新の情報とし、しかも制御開始から制御が実行されるまでの時間を短くできる効果がある。
【００１７】
また、この発明は、前述のように、電力系統における複数の監視制御対象毎に設けられた複数の入出力端末装置にマスター装置から制御指令を与えて監視制御対象を制御する電力系統の監視制御システムにおいて、前記マスター装置が、入出力端末装置への制御出力可否を判断するに必要な情報の取得動作を、当該マスター装置から前記入出力端末装置への制御対象選定通知の時点で開始するものであり、しかも、制御対象に選定された制御対象入出力端末装置を特定する情報を含む前記制御対象選定通知が、制御対象に選定されなかった入出力端末装置にも行われるので、選定された入出力端末装置の制御中に、選定されていない入出力端末装置の制御が二重に行われないようにすることができる効果がある。
【発明を実施するための最良の形態】
【００１８】
実施の形態１．
以下この発明の実施の形態１を図１〜図５により説明する。図１は変電所内の電力系統の事例を示す図、図２はマスター装置と制御対象の入出力端末装置と非制御対象の入出力端末装置と制御対象の外部機器と制御非対象の外部機器との接続関係の事例およびその動作説明をするための図、図３はマスター装置と制御対象の入出力端末装置と非制御対象の入出力端末装置と制御対象の外部機器と制御非対象の外部機器との接続関係の事例およびその動作説明をするための図、図４は従来方式１と従来方式２とこの発明の実施の形態１との動作の違いおよび効果の違いを説明する図、図５はマスター装置および入出力端末装置の内部構成を示す図である。なお、各図中、同一符合は同一部分を示す。
【００１９】
図１に示すように、例えば変電所１内の電力系統には、変圧器Ｔｒ、遮断器ＣＢ、断路器ＤＳ、リレー（図示省略）などの多数の監視制御対象が設置されている。
【００２０】
また、ベイ（ＢＡＹ）と呼ばれる複数の監視制御単位Bay1，Bay2，・・・で電力系統は構成されている。前記複数の監視制御単位Bay1，Bay2，・・・の各々の監視制御対象（変圧器Ｔｒ、遮断器ＣＢ、断路器ＤＳ、等）に対して監視制御する入出力端末装置BCU1，BCU2，・・・が設けられ、これら入出力端末装置BCU1，BCU2，・・・は、制御所２内のＨＭＩ（表示装置付監視制御端末）３に、ＬＡＮ等の通信ネットワーク４およびサーバ５を介して接続され、監視制御単位Bay1，Bay2，・・・は、対応する入出力端末装置BCU1，BCU2，・・・で個別に監視制御され、更に、ＨＭＩ３により総合的に監視制御される。なお、前記ＨＭＩ３と前記サーバ５とでマスタ装置６が構成されている。
【００２１】
このような電力系統においては、前述のように、例えば、電圧変動や電流変化、潮流変化、回線異常等を監視し、それらの状況に応じて、変電所内等の電力系統の、例えば監視制御対象である変圧器タップの切替制御、監視制御対象である遮断器や断路器等のＯＮ／ＯＦＦ制御などを、複数の監視制御対象毎に設けられた複数の入出力端末装置にマスター装置から制御指令を与えて監視制御対象を制御する。
【００２２】
図２において、制御指令を出力するマスター装置６とＬＡＮ等の通信路４を介して制御指令に該当する制御対象外部機器７に接続された制御対象入出力端末装置８とその他の制御非対象外部機器１０１，１０２，・・・を接続した当該制御に対する非制御対象入出力端末装置群1１０が接続される。
【００２３】
このように構成された監視制御システムの制御操作は、マスタ装置６からの制御指令に先立って通知される選択指令（制御対象として選択した旨の通知）１１、及び、非制御対象入出力端末装置群１０への通知１２に対して、制御非対象の非制御対象入出力端末装置群１０が、通知１２を認識し、自装置での制御操作を抑止すると共に、自装置で保有している最新の外部機器状態１３をマスタ装置６へ返信する。また、本制御指令での制御対象機器が接続されている制御対象入出力端末装置８も前記と同様に最新情報をマスタ装置６へ返信すると共に、制御の実行指令を待つ。
【００２４】
マスタ装置６は、制御対象入出力端末装置８及び、非制御対象入出力端末装置群１０から受け取った最新情報を元に、制御可否条件を予め指定された条件と比較し、可能と判断した場合には、制御対象入出力端末装置８に制御指令を出し、それを受けて、制御対象入出力端末装置８は外部機器７に制御を出力する。
【００２５】
制御対象入出力端末装置８は制御完了を判断し、マスタ装置６へ完了通知１４Ａを行い、マスタ装置６は、制御対象入出力端末装置８、及び非制御対象入出力端末装置群１０に対して、制御完了１４Ｂを通知する。非制御対象入出力端末装置群１０は、これをもって制御抑止を解除する。
【００２６】
前述の動作の詳細な手順を図４によって説明する。即ち、先ず最初に、マスター装置側で、(1)制御対象として例えば入出力端末装置BCU1を選定し（ステップＥ）、(2)制御対象に選定した入出力端末装置BCU1へ制御対象に選定した旨を通知する通知し（ステップＦ）、(3)マスター装置側で、制御可否判断に使用する前記情報CI（前述のような変圧器タップ状態（位置）や遮断器や断路器等のＯＮ／ＯＦＦ状態、等のいわゆる監視制御対象の状態の情報）を、各入出力端末装置BCU1〜nに、送信依頼する（ステップＡ）。次いで、ＢＣＵ側で、(1)制御対象に選定された入出力端末装置BCU1が、制御対象選定通知（ステップＦ）を、受信する（ステップＧ）。(2)各入出力端末装置BCU1〜nが、送信依頼（ステップＡ）を、受信する（ステップＢ）。次いで、入出力端末装置BCU側では、制御可否判断に使用する情報CIを、各入出力端末装置BCU1〜nから、送付する（ステップＣ）。次いで、マスター装置側で、制御可否判断に使用する前記情報CIを、各入出力端末装置BCU1〜nから、受信する（ステップＤ）。マスター装置側は、受信した前記情報CIにより制御可否判断を行い、制御可であれば制御対象入出力端末装置BCU1へ、制御実行を指令する（ステップＨ）。次いで、制御対象に選定された入出力端末装置BCU1が、制御実行指令（ステップＨ）を受信し（ステップＩ）、制御を実行する（ステップＪ）。
【００２７】
なお、制御対象に選定されなかった入出力端末装置１０１，１０２，・・・１０ｎは前記制御対象選定通知により対応監視制御対象に対する制御をブロックし、制御対象に選定され入出力端末装置８の制御中に対応監視制御対象を制御しないように機能する。
【００２８】
前述のように、この発明の実施の形態１においては、制御開始の最初に、(1)制御対象として例えば入出力端末装置BCU1を選定し（ステップＥ）、(2)制御対象に選定した入出力端末装置BCU1へ制御対象に選定した旨を通知する通知し（ステップＦ）、(3)マスター装置側で、制御可否判断に使用する前記情報CI（前述のような変圧器タップ状態（位置）や遮断器や断路器等のＯＮ／ＯＦＦ状態、等のいわゆる監視制御対象の状態の情報）を、各入出力端末装置BCU1〜nに、送信依頼する（ステップＡ）ので、図４（ｃ）に示されているように、制御開始から制御実行（ステップＪ）までの時間Ｔ２が、前述の従来方式１および従来方式２の時間Ｔ１より短くなる。つまり、時間Ｔ２＜時間Ｔ１となり、その分、制御の実行が早く行われる。
【００２９】
また、この発明の実際の形態１においては、図４（ｃ）に示されているように、制御対象に選定された制御対象入出力端末装置８を特定する情報を含む前記制御対象選定通知が、制御対象に選定されなかった入出力端末装置１０１，１０２，・・・１０ｎにも行われるので、選定されなかった入出力端末装置１０１，１０２，・・・１０ｎでは、制御対象に選定された制御対象入出力端末装置８が制御下にあることを認識でき、制御対象に選定された制御対象入出力端末装置８で制御が実行されている最中に、選定されなかった入出力端末装置１０１，１０２，・・・１０ｎによって二重に制御されることを抑止できる。
【００３０】
なお、前記マスタ装置６のサーバ５は、ＣＰＵ５１、ＲＯＭ５２、メモリ（ＲＡＭや不揮発性メモリ）５３、および通信Ｉ／Ｏ５４を備えており、各入出力端末装置BCU1，BCU2，・・も同様に、ＣＰＵ８１、ＲＯＭ８２、メモリ（ＲＡＭや不揮発性メモリ）８３、および通信Ｉ／Ｏ８４を備えていて、各入出力端末装置BCU1，BCU2，・・の各通信Ｉ／Ｏ８４と前記マスタ装置６の通信Ｉ／Ｏ５４とがＬＡＮ等の通信線４によって接続され、前述の動作は、前記マスタ装置６のＲＯＭ５２内のＳ／ＷとＣＰＵ５１及び前記各入出力端末装置BCU1，BCU2，・・のＲＯＭ８２内のＳ／ＷとＣＰＵ８１によって行われる。また、前記マスタ装置６のメモリ（ＲＡＭや不揮発性メモリ）５３には前記制御可否判断に必要な前記収集情報CIが保存され、前記各入出力端末装置BCU1，BCU2，・・のメモリ（ＲＡＭや不揮発性メモリ）８３には前記マスタ装置６からの通知や指令の情報が保存される。
【００３１】
実施の形態２．
以下、この発明の実施の形態２を、図６および図７によって説明する。図６および図７は何れもマスター装置と制御対象の入出力端末装置と非制御対象の入出力端末装置と制御対象の外部機器と制御非対象の外部機器との接続関係の事例およびその動作説明をするための図であり、前述の図１〜図５と同一又は相当部分には同一符号を付してある。また、この発明の実施の形態２の説明は、前述のこの発明の実施の形態１と異なる点を重点的に説明し他の説明は割愛する。
【００３２】
前述の実施の形態１では、前記選択指令１１の信号と前記通知１２の信号とを図示のように分離しているが、制御対象情報を含んだ選択指令１１を全入出力端末装置に通知し、非制御対象入出力端末装置群１０では通知１２の代替として取り扱えば、つまり、入出力端末装置への制御出力可否を判断するに必要な情報の取得動作の前記開始が前記マスター装置から前記各入出力端末装置に対して出される情報送信依頼により行われ、当該情報送信依頼と前記制御対象選定通知とが一の信号に含まれておれば、通知１２は設けなくてもよい。この場合、更に手順が一つ減らす事が可能となる。このため、制御に要する時間の短縮、手順の簡素化が可能となる。
【００３３】
実施の形態３．
以下、この発明の実施の形態３を、図８および図９によって説明する。図８および図９は何れもマスター装置と制御対象の入出力端末装置と非制御対象の入出力端末装置と制御対象の外部機器と制御非対象の外部機器との接続関係の事例およびその動作説明をするための図であり、前述の図１〜図７と同一又は相当部分には同一符号を付してある。また、この発明の実施の形態３の説明は、前述のこの発明の実施の形態１および２と異なる点を重点的に説明し他の説明は割愛する。
【００３４】
前述のこの発明の実施の形態１、２において、前記制御対象入出力端末装置８と前記制御非対象入出力端末装置群１０の一部、または全部が分散配置された構成の場合には、前記選択指令１２（実施の形態２では１１）を受け取った制御非対象入出力端末装置群１０の各制御非対象入出力端末装置BCU1，BCU2，・・・が、制御開始状態にあることを個々外部出力する事で、現在他端末で制御中である事を、例えば表示装置１５や音声アナウンス１６等による報知で明示し、制御非対象入出力端末装置群１０の各制御非対象入出力端末装置BCU1，BCU2，・・・に対して個別に実施される外部からの制御操作を抑止する事が可能となる。
【００３５】
実施の形態４．
以下、この発明の実施の形態４を、変電所内の電力系統の事例を示す図１０によって説明する。図１０において前述の図１〜図９と同一又は相当部分には同一符号を付してある。また、この発明の実施の形態４の説明は、前述のこの発明の実施の形態１〜３と異なる点を重点的に説明し他の説明は割愛する。
【００３６】
前述のこの発明の実施の形態１〜３は一の変電所内での電力系統の監視制御システムを例示したが、図１０に例示してあるように、他の変電所や発電所などの監視制御システムとエクストラネット等の専用回線１７等を使って接続し、複数の監視制御システム間で連係させるようにすれば、更に広範な監視制御を行うことができる。他の監視制御システムにネットワークを介して接続され、他の監視制御システムにネットワークにおける前記情報を当該他の監視制御システムから前記ネットワークを介して収集し、当該情報を前記入出力端末装置への制御出力可否判断の判断材料に使用するようにすれば、広範囲にわたって適正な監視制御が可能となる。
【図面の簡単な説明】
【００３７】
【図１】この発明の実施の形態１を示す図で、変電所内の電力系統の事例を示す図である。
【図２】この発明の実施の形態１を示す図で、マスター装置と制御対象の入出力端末装置と非制御対象の入出力端末装置と制御対象の外部機器と制御非対象の外部機器との接続関係の事例およびその動作説明をするための図である。
【図３】この発明の実施の形態１を示す図で、マスター装置と制御対象の入出力端末装置と非制御対象の入出力端末装置と制御対象の外部機器と制御非対象の外部機器との接続関係の事例およびその動作説明をするための図である。
【図４】この発明の実施の形態１を示す図で、従来方式１と従来方式２とこの発明の実施の形態１との動作の違いおよび効果の違いを説明する図である。
【図５】この発明の実施の形態１を示す図で、マスター装置および入出力端末装置の内部構成を示す図である。
【図６】この発明の実施の形態２を示す図で、マスター装置と制御対象の入出力端末装置と非制御対象の入出力端末装置と制御対象の外部機器と制御非対象の外部機器との接続関係の事例およびその動作説明をするための図である。
【図７】この発明の実施の形態２を示す図で、マスター装置と制御対象の入出力端末装置と非制御対象の入出力端末装置と制御対象の外部機器と制御非対象の外部機器との接続関係の事例およびその動作説明をするための図である。
【図８】この発明の実施の形態３を示す図で、マスター装置と制御対象の入出力端末装置と非制御対象の入出力端末装置と制御対象の外部機器と制御非対象の外部機器との接続関係の事例およびその動作説明をするための図である。
【図９】この発明の実施の形態３を示す図で、マスター装置と制御対象の入出力端末装置と非制御対象の入出力端末装置と制御対象の外部機器と制御非対象の外部機器との接続関係の事例およびその動作説明をするための図である。
【図１０】この発明の実施の形態４を示す図で、他の変電所や発電所などの監視制御システムとエクストラネット等の専用回線１７等を使って接続である。
【符号の説明】
【００３８】
１    変電所、
２    制御室、
３    ＨＭＩ、
４    通信路（ネットワーク）、
５    サーバ、
６    マスタ装置、
７    制御対象外部機器、
８    制御対象入出力端末装置、
９１，９２，・・・９ｎ    制御非対象外部機器、
１０    非制御対象入出力端末装置群、
１０１，１０２，１０３，・・・１０ｎ    非制御対象入出力端末装置、
１１    選択指令、
１２    通知、
１３    最新の外部機器状態情報、
１４Ａ    制御完了通知、
１４Ｂ    制御完了通知、
１５    表示装置、
１６    音声アナウンス、
１７    専用回線、
Bay1，Bay2，・・・    監視制御単位、
BCU1，BCU2，・・・    入出力端末装置、
ＣＩ    制御出力可否を判断するに必要な情報、
ＣＢ    遮断器、
ＤＳ    断路器、
Ｔｒ    トランス。
【図１】
2006320102.tif 000003
【図２】
2006320102.tif 000004
【図３】
2006320102.tif 000005
【図４】
2006320102.tif 000006
【図５】
2006320102.tif 000007
【図６】
2006320102.tif 000008
【図７】
2006320102.tif 000009
【図８】
2006320102.tif 000010
【図９】
2006320102.tif 000011
【図１０】
2006320102.tif 000012